(57)【要約】  部品内蔵基板等の樹脂基板の樹脂層内の配線を、従来のビア導体で形成するのとは全く異なる手法で形成し、ビア導体の位置ずれや導電性ペーストの流失の問題を解消し、配線の一層の細線化を可能にして樹脂基板の従来にない小型化を実現する。  配線体４が平面状に配設された基板前駆体２を用意し、配線体４を分割するように基板前駆体２ａを切断して個片化し、前駆体個片（基板前駆体２の個片）２０ａを、配線体個片（配線体４の個片）４０が立設するように設け、前駆体個片２０ａを樹脂で覆って配線体個片４０が垂直に埋設された樹脂層３を形成し、配線体個片４０の端面導体を樹脂層３の表面の面内導体パターン７に電気的に接続して部品内蔵基板（樹脂基板）１Ａを製造する。
2011024469.tif 000002
【特許請求の範囲】
【請求項１】
配線体が平面状に配設された基板前駆体を用意し、
前記配線体を分割するように前記基板前駆体を切断して個片化し、
前記基板前駆体の個片を、前記配線体の個片が立設するように設け、
前記基板前駆体の個片を樹脂で覆って前記配線体の個片が垂直に埋設された樹脂層を形成し、
前記配線体の個片の端面導体を前記樹脂層の表面の面内導体パターンに電気的に接続して樹脂基板を形成することを特徴とする基板製造方法。
【請求項２】
請求項１に記載の基板製造方法において、
前記配線体は配線パターンに形成され、
前記配線体の個片が、前記樹脂層内の立体配線を形成することを特徴とする基板製造方法。
【請求項３】
請求項２に記載の基板製造方法において、
前記基板前駆体の個片は、前記配線体の個片が内側を向いた囲み枠状に樹脂に埋設されることを特徴とする基板製造方法。
【請求項４】
請求項２に記載の基板製造方法において、
前記基板前駆体の個片は、前記配線体の個片が外側を向いた囲み枠状に樹脂に埋設されることを特徴とする基板製造方法。
【請求項５】
請求項２〜４のいずれかに記載の基板製造方法において、
前記配線体の配線パターン上に部品が実装されていることを特徴とする基板製造方法。
【請求項６】
請求項１に記載の基板製造方法において、
前記配線体は面導体であり、
前記配線体の個片が垂直な導体面を形成することを特徴とする基板製造方法。
【請求項７】
請求項１〜６のいずれかに記載の基板製造方法において、
前記樹脂層の表面を前記基板前駆体の個片の端面導体が露出するように研磨し、
研磨した前記樹脂層体の表面に前記面内導体パターンを形成することを特徴とする基板製造方法。
【請求項８】
請求項１〜６のいずれかに記載の基板製造方法において、
前記基板前駆体の個片の端面導体を導電性ペーストを介して前記面内導体パターンに接続することを特徴とする基板製造方法。
【請求項９】
配線体が平面状に配設された基板前駆体を、前記配線導体を分割するように切断して形成された前記基板前駆体の個片と、
立設した前記基板前駆体の個片を樹脂で覆って形成され、前記配線体の個片が垂直に埋設された樹脂層とを備えたことを特徴とする樹脂基板。
【発明の詳細な説明】
【技術分野】
【０００１】
本発明は、部品内蔵基板やシールド基板となる樹脂基板を製造する基板製造方法および、その方法で製造される樹脂基板に関し、詳しくは、樹脂層の配線構造の改良に関する。
【背景技術】
【０００２】
従来、この種の樹脂基板の一例である部品内蔵基板（部品内蔵モジュール）は、その製造工程を示す図３５（ａ）〜（ｈ）の断面図に示すようにして製造することが提案されている（例えば、特許文献１（段落［００５５］−［００５９］、図６等）参照）。【０００３】
すなわち、図３５（ａ）の工程において、無機質フィラーと未硬化状態（Ｂステージ）の熱硬化性樹脂の混合物をシート状に加工したものに貫通孔を形成し、この貫通孔に導電性ペーストを充填することで充填したシート状物（プリプレグ）１０２を形成する。【０００４】
シート状物１０２に形成する前記貫通孔は、レーザ加工法や金型による加工、パンチング加工で行なわれる。【０００５】
つぎの図３５（ｂ）の工程においては、銅箔１００に能動部品である半導体１０１やチップ部品１０４を実装する。半導体１０１は、導電性接着剤を介して銅箔１００と電気的に接続されている。【０００６】
つぎの図３５（ｃ）の工程においては、作製したシート状物１０２と半導体１０１、チップ部品１０４を実装した銅箔１００を位置合わせして重ねる。【０００７】
つぎの図３５（ｄ）の工程においては、前記位置合わせにより重ねたものをプレスにより、加熱加圧して半導体１０１およびチップ部品１０４をシート状物１０２に埋設して一体化する。このとき、導電性ペーストの硬化により銅箔１００の間の電気的接続が行なわれる。【０００８】
つぎの図３５（ｅ）の工程においては、熱硬化性樹脂が硬化して樹脂層が形成され、この樹脂層に半導体１０１が埋設されて一体化した基板の表面の銅箔を加工して配線パターン１００とし、コア層１０５を作製する。【０００９】
つぎの図３５（ｆ）の工程においては、作製したコア層１０５を基本として、無機質フィラーと未硬化状態の熱硬化性樹脂の混合物からなるシート状物１０６又は両面に接着層を形成した有機フィルムに貫通孔を形成し、前記貫通孔に導電性ペーストを充填したものを、コア層１０５の両面に位置合わせして重ね、さらに銅箔１０８を重ねる。これを加熱加圧することで、図３５（ｇ）に示すように、コア層１０５の両面に配線層が形成できる。【００１０】
図３５（ｈ）の工程においては、接着した銅箔１０８を化学エッチング処理して配線パターン１０９を形成する。これにより部品内蔵基板（部品内蔵モジュール）が製造される。なお、その後のはんだによる部品実装や、絶縁樹脂の充填などの工程は省略している。
【先行技術文献】
【特許文献】
【００１１】
【特許文献１】特開２００２−２６１４４９号公報
【発明の概要】
【発明が解決しようとする課題】
【００１２】
図３５の従来の基板製造方法の場合、例えばコア層１０５において、樹脂層となる未硬化状態のシート状物（プリプレグ）１０２内の配線を形成するため、貫通孔（ビア孔）に導電性ペーストを充填してインナービア１０３を形成する必要がある。この場合、シート状物（プリプレグ）１０２を、半導体１０１およびチップ部品１０４の部品を実装した銅箔１００に圧着して部品を樹脂封止しつつ一体化する際、未硬化で流動性を有するシート状物（プリプレグ）１０２の影響を受けてインナービア１０３の位置がずれる問題がある。なお、未硬化で流動性を有するシート状物（プリプレグ）１０２に部品が埋め込まれる際、インナービア１０３の導電性ペーストが未硬化であれば、この導電性ペーストが部品の排除体積によって貫通孔から流出するおそれもある。【００１３】
さらに、樹脂層内の配線を細線化することで、部品内蔵基板（部品内蔵モジュール）の小型化が図られるが、樹脂層内の配線としてインナービア１０３を用いる場合、レーザ加工法や金型による加工、パンチング加工によって形成されるインナービア１０３の貫通孔が先細りの形状となるので、配線の抵抗等を考慮すると、インナービア１０３を十分な小径に形成することができず、部品内蔵基板（部品内蔵モジュール）の小型化を図ることができない。しかも、インナービア１０３のようなビア導体を用いる場合には、ビア導体の端面に平面状の電極パッドを設ける必要があり、この点でも部品内蔵基板（部品内蔵モジュール）の小型化が困難になっている。【００１４】
そして、部品内蔵基板（部品内蔵モジュール）に限らず、樹脂層内で立体配線等の配線を行なう必要がある種々の樹脂基板において、立体配線等の配線をインナービア１０３のようなビア導体で形成する場合には、上記の問題がある。【００１５】
本発明は、部品内蔵基板等の樹脂基板の樹脂層内の配線を、従来のビア導体で形成するのとは全く異なる手法で形成し、ビア導体の位置ずれや導電性ペーストの流失の問題を解消し、配線の一層の細線化を可能にして樹脂基板の従来にない小型化を実現することを目的とし、さらには、同様の手法でシールド基板の製造も可能にする。
【課題を解決するための手段】
【００１６】
上記した目的を達成するために、本発明の基板製造方法は、配線体が平面状に配設された基板前駆体を用意し、前記配線体を分割するように前記基板前駆体を切断して個片化し、前記基板前駆体の個片を、前記配線体の個片が立設するように設け、前記基板前駆体の個片を樹脂で覆って前記配線体の個片が垂直に埋設された樹脂層を形成し、前記配線体の個片の端面導体を前記樹脂層の表面の面内導体パターンに電気的に接続して樹脂基板を形成することを特徴としている（請求項１）。【００１７】
また、本発明の基板製造方法は、前記配線体が配線パターンに形成され、前記配線体の個片が、前記樹脂層内の立体配線を形成することを特徴としている（請求項２）。【００１８】
また、本発明の基板製造方法においては、前記基板前駆体の個片は、前記配線体の個片が内側を向いた囲み枠状に樹脂に埋設されることを特徴としている（請求項３）。【００１９】
また、本発明の基板製造方法においては、前記基板前駆体の個片は、前記配線体の個片が外側を向いた囲み枠状に樹脂に埋設されることを特徴としている（請求項４）。【００２０】
また、本発明の基板製造方法は、前記配線体の配線パターン上に部品が実装されていることを特徴としている（請求項５）。【００２１】
また、本発明の基板製造方法は、前記配線体が面導体であり、前記配線体の個片が垂直な導体面を形成することを特徴としている（請求項６）。【００２２】
また、本発明の基板製造方法は、前記樹脂層の表面を前記基板前駆体の個片の端面導体が露出するように研磨し、研磨した前記樹脂層の表面に前記面内導体パターンを形成することを特徴としている（請求項７）。【００２３】
また、本発明の基板製造方法は、前記基板前駆体の個片の端面導体を導電性ペーストを介して前記面内導体パターンに接続することを特徴としている（請求項８）。【００２４】
つぎに、本発明の樹脂基板は、配線体が平面状に配設された基板前駆体を、前記配線導体を分割するように切断して形成された前記基板前駆体の個片と、立設した前記基板前駆体の個片を樹脂で覆って形成され、前記配線体の個片が垂直に埋設された樹脂層とを備えたことを特徴としている（請求項９）。
【発明の効果】
【００２５】
請求項１の本発明の基板製造方法によれば、配線体を平面状に配設した基板前駆体が用意され、その基板前駆体を切断した個片が、配線体の個片が立設して立体配線となるように設けられる。【００２６】
さらに、基板前駆体の個片を樹脂で覆うことで、配線体の個片を垂直に埋設した樹脂層が形成され、樹脂層内の配線としての配線体の個片の端面導体が樹脂層の表面の面内導体パターンに電気的に接続されて樹脂基板が製造される。【００２７】
この場合、樹脂層内の配線がビア導体に代わる配線体の立体配線により形成される。そのため、樹脂層のプリプレグに、貫通孔に導電性ペーストを充填したインナービア等のビア導体を設ける必要がなく、ビア導体の位置ずれや導電性ペーストの流出の問題が生じない。また、レーザ加工法や金型による加工、パンチング加工によって形成されるインナービアの先細りの問題が発生せず、しかも、配線体の個片の端面導体を樹脂層の表面の面内導体パターンに電気的に接続する際、配線体の個片の立体配線は垂直に立ち上がり、ビア導体を用いる場合に比して配線が極細になり、従来は実現不可能であった樹脂層内の極細の配線が可能となり、しかも、ビア導体を用いた場合には水平な向きの部品取り付けの電極パッドも垂直な向きになり、製造される樹脂基板が極めて小型になる。【００２８】
したがって、部品内蔵基板等の樹脂基板の配線を、従来のビア導体で形成するのとは全く異なる手法で形成し、ビア導体の位置ずれや導電性ペーストの流失の問題を解消し、樹脂層内の配線を十分に細線化してこの種の樹脂基板を小型に製造することができる。【００２９】
請求項２の本発明の基板製造方法によれば、配線体が配線パターンに形成され、配線体の個片が、配線体の個片化された配線パターンにより樹脂層内の立体配線を形成して請求項１の発明と同様の効果が得られる。【００３０】
請求項３の本発明の基板製造方法によれば、個片化された配線体が向き合うように基板前駆体の個片を囲み枠形状に配設して立体配線構造の樹脂基板を形成することができ、この場合も請求項１の発明と同様の効果が得られる。【００３１】
請求項４の本発明の基板製造方法によれば、個片化された配線体を外側に向けて基板前駆体の個片を囲み枠形状に配設し、立体配線構造の樹脂基板を形成することができ、この場合も請求項１の発明と同様の効果が得られる。【００３２】
請求項５の本発明の基板製造方法によれば、個片化された配線体の配線パターン上に実装された部品が、前記配線パターンによって立体配線され、請求項１の発明と同様の効果が得られる部品内蔵の樹脂基板（部品内蔵基板）を製造することができる。【００３３】
請求項６の本発明の基板製造方法によれば、個片化された配線体が樹脂層の壁面の電磁的な面状のシールド配線を形成し、その内側の樹脂層がシールドされた樹脂基板を製造することができる。【００３４】
請求項７の本発明の基板製造方法によれば、樹脂層の表面を研磨して露出した基板前駆体の個片の端面導体に、研磨後の樹脂層の表面に形成した面内導体パターンを接続することにより、基板前駆体の個片の端面導体を確実に樹脂層の表面の面内導体パターンに電気的に接続することができる。【００３５】
請求項８の本発明の基板製造方法によれば、基板前駆体の個片の端面導体を導電性ペーストを介して樹脂層の表面の面内導体パターンに電気的に接続することができる。【００３６】
請求項９の本発明の樹脂基板によれば、配線体が平面状に配設された基板前駆体の個片により樹脂層内の立体配線等の配線が形成され、従来は実現不可能であった樹脂層内の極細の配線が可能となり、極めて小型化したこの種の樹脂基板を提供することができる。
【図面の簡単な説明】
【００３７】
【図１】（ａ）、（ｂ）は本発明の第１の実施形態の部品内蔵基板の断面図、一部の透視した斜視図である。
【図２】（ａ）〜（ｆ）は図１の基板製造方法を説明する断面図である。
【図３】（ａ）、（ｂ）は図２の基板前駆体の一部の製造工程を説明する断面図である。
【図４】（ａ）、（ｂ）は図３に続く製造工程を説明する断面図である。
【図５】（ａ）、（ｂ）は図４に続く製造工程を説明する断面図である。
【図６】（ａ）、（ｂ）は図５に続く製造工程を説明する断面図である。
【図７】（ａ）、（ｂ）は図６に続く製造工程を説明する断面図である。
【図８】（ａ）、（ｂ）は図７に続く製造工程を説明する断面図である。
【図９】（ａ）、（ｂ）は図２の基板前駆体の個片化の切断を説明する断面図である。
【図１０】（ａ）、（ｂ）は図２の基板前駆体の個片の立設状態を説明する断面図である。
【図１１】配線体の効果の説明図である。
【図１２】（ａ）〜（ｇ）は本発明の第２の実施形態の基板製造方法の一部の工程を説明する断面図である。
【図１３】本発明の第３の実施形態の部品内蔵基板の断面図である。
【図１４】（ａ）〜（ｇ）は本発明の第３の実施形態の基板製造方法の一部の工程を説明する断面図である。
【図１５】（ａ）〜（ｃ）は本発明の第４の実施形態の基板製造方法の一部の工程を説明する断面図である。
【図１６】本発明の第４の実施形態の基板製造方法の他の一部の工程を説明する断面図である。
【図１７】（ａ）、（ｂ）は本発明の第５の実施形態の基板製造方法の一部の工程を説明する断面図である。
【図１８】本発明の第５の実施形態の基板製造方法の他の一部の工程を説明する断面図である。
【図１９】（ａ）、（ｂ）は本発明の第６の実施形態の基板製造方法の一部の工程を説明する断面図である。
【図２０】本発明の第６の実施形態における基板前駆体の個片の透視した斜視図である。
【図２１】（ａ）、（ｂ）は本発明の第６の実施形態の基板製造方法の他の一部の工程を説明する断面図である。
【図２２】（ａ）〜（ｄ）は本発明の配線体の個片の配線パターン例を説明する断面図である。
【図２３】（ａ）、（ｂ）は本発明の配線体の個片の配置例を説明する断面図である。
【図２４】本発明の配線体の個片の配置例を説明する透視した斜視図である。
【図２５】（ａ）、（ｂ）はそれぞれ本発明の配線体の個片の他の配置例を説明する透視した斜視図である。
【図２６】本発明の配線体の個片のさらに他の配置例の透視した斜視図である。
【図２７】（ａ）〜（ｃ）は本発明の基板製造方法の変形例の工程を説明する斜視図である。
【図２８】本発明の基板製造方法のさらに他の変形例を説明する断面図である。
【図２９】図２８の変形例の基板製造方法を説明する透視した斜視図である。
【図３０】（ａ）〜（ｅ）は本発明の第７の実施形態の基板前駆体の個片を形成する工程の説明図である。
【図３１】（ａ）〜（ｄ）は本発明の第７の実施形態の部品内蔵基板を形成する工程の説明図である。
【図３２】（ａ）、（ｂ）は本発明の第７の実施形態の部品内蔵基板の斜視図、断面図である。
【図３３】図３２の部品内蔵基板から形成される素子の説明図である。
【図３４】（ａ）〜（ｅ）は本発明の第７の実施形態の基板前駆体の個片を形成する他の工程例を説明する断面図である。
【図３５】（ａ）〜（ｈ）は従来の基板製造方法の工程を説明する断面図である。
【発明を実施するための形態】
【００３８】
本発明の実施形態について、図１〜図３４を参照して詳述する。
【００３９】
（第１の実施形態）
請求項１、５、７、９に対応する本発明の第１の実施形態について、図１〜図１１を参照して説明する。
【００４０】
［樹脂基板としての部品内蔵基板１Ａの構成］
図１（ａ）は本実施形態の樹脂基板としての部品内蔵基板１Ａを示し、部品内蔵基板１Ａは、後述する基板前駆体２の複数個の個片（以下、前駆体個片という）２０ａと、各個片２０ａを樹脂３１で覆って形成された樹脂層３とを備える。
【００４１】
図１（ｂ）は前駆体個片２０ａを透視して示し、各前駆体個片２０ａは後述する配線体４の個片（以下、配線体個片という）４０を樹脂５に埋設して形成されている。各配線体個片４０は配線パターンに加工された銅めっき等の金属箔片であり、各配線体個片４０が形成する垂直な配線パターン上には部品６が実装され、部品６はいわゆる横向きの状態で樹脂層３に内蔵されている。なお、部品６はコンデンサ、コイル、トランジスタ、集積回路（ＩＣ）等の種々の電子部品であり、外部電極６１が配線体個片４０にはんだ付け等されている。また、配線体個片４０の上下の端部（本発明の端面導体）は、樹脂層３の上下の表面の面内導体パターン７に銅めっきにて電気的に接続されている。
【００４２】
上記構成の部品内蔵基板１Ａは、従来はインナービア等のビア導体で形成されていた樹脂層３内の配線が、面内導体パターン７に垂直に接続された各配線体個片４０の立体配線で形成される。この場合、ビア導体に比して配線体個片４０の立体配線は極めて細線化することができる。しかも、配線体個片４０の立体配線は垂直に立ち上がって面内導体パターン７にめっき等で直接接続されるので、ビア導体の場合には必要となる電極パッドが不要となる。
【００４３】
したがって、横方向（左右方向）をＸ方向、縦方向（奥行き方向）をＹ方向、高さ方向をＺ方向とした場合、部品内蔵基板１Ａは、樹脂層３内の配線が極めて細線化され、ＸＹ平面内の電極パッド面積が大幅に小さくなり、極めて小型になる。
【００４４】
［部品内蔵基板１Ａの製造方法］
上記部品内蔵基板１Ａの製造方法を、図２〜図１０を参照して説明する。
【００４５】
図２（ａ）〜（ｆ）は部品内蔵基板１Ａの概略の製造工程を示す断面図であり、（ａ）、（ｂ）はＺ−Ｘ平面の切断正面図、（ｃ）〜（ｆ）はＺ−Ｙ平面の切断側面図である。
【００４６】
まず、同図（ａ）の工程により基板前駆体２を用意して前駆体個片２０ａに個片化する。なお、基板前駆体２は、後述するように平面状に水平に配設された配線体４に例えば熱硬化性の樹脂を圧着して形成される。配線体４は例えば銅めっき箔からなる。さらに、本実施形態の場合、配線体４は所定の配線パターンに形成されて複数個の部品６が一列または行列状に実装されている。そして、基板前駆体２は図中の実線の位置等でダイサーカット等によって切断されて個別に分割され、部品６毎の同じ形状、大きさの複数個の前駆体個片２０ａに個片化される。このとき、各前駆体個片２０ａは配線体個片４０が引き出し配線を形成して引き出し配線付き部品内蔵基板と同等の構成になる。
【００４７】
つぎに図２（ｂ）の工程により、個片化された前駆体個片２０ａを９０度回転して引き起こし、配線体個片４０を垂直に立ち上げる。さらに、図２（ｃ）の工程により、引き起こした各前駆体個片２０ａを接着シート８上の予定の位置に配置して固定し、図２（ｄ）の工程により、粘着シート８上の各前駆体個片２０ａを例えば前駆体個片２０ａの樹脂と同じ熱硬化性樹脂で覆って埋め込み、硬化して樹脂層３を形成した後、接着シート８を剥離する。なお、各前駆体個片２０ａは前駆体個片２０ａの樹脂と異なる熱硬化性樹脂等で覆ってもよい。
【００４８】
つぎに、本実施形態においては、図２（ｅ）の工程により、樹脂層３の上下の表面（上下のいずれか一方の表面でもよい）を回転するバフ９の研磨で研削し、配線体個片４０の端面導体（切断面導体）を露出する。
【００４９】
そして、図２（ｆ）の工程により、樹脂層３の上下の表面（上下のいずれか一方の表面でもよい）の表面に銅めっき等で表面配線としての面内導体パターン７を形成し、配線体個片４０と面内導体パターン７とを電気的に接続し、部品内蔵基板１Ａを製造する。
【００５０】
ところで、基板前駆体２は、具体的は図３〜図８の断面図に示す工程を経て形成する。なお、図３〜図８の（ａ）はＺ−Ｘ面の切断正面図、（ｂ）はＺ−Ｙ面の切断側面図である。
【００５１】
すなわち、図３の工程により、例えばステンレス（ＳＵＳ）の転写板１０上にめっきレジスト１１を貼り付ける。つぎに、図４の工程により、例えばフォトリソエッチング加工によりめっきレジスト１１の配線体４を形成する部分のみ開口させる。このとき、部品実装のパッドを設定し、配線体４を配線体個片４０に切断したときに所望の立体配線パターンになるように開口部を形成する。
【００５２】
さらに、図５の工程により、例えば転写板１０を陽極として電解銅めっきを行い、めっきレジスト１１の開口部に銅めっき１２を成長させる。このとき、銅めっき１２は、例えば、厚みが５〜５０μｍ程度、幅が１０〜２００μｍ程度である。その後、図６の工程により、めっきレジスト１１を剥離して転写板１０上に配線体４を形成する。
【００５３】
つぎに、図７の工程により、配線体４の各部品実装のパッド上に部品６を実装する。この実装は、はんだ実装、錫のプリコート実装等で行われる。そして、図８の工程により、樹脂（熱硬化性樹脂等）５のプリプレグに部品６を埋設して硬化し、転写板１０を剥離して部品６を実装した基板前駆体２を形成する。
【００５４】
形成した基板前駆体２は、図２（ａ）の工程をＺ−Ｘ面およびＺ−Ｙの断面図で示した図９の工程により、前記したように図中の実線の位置でダイサーカット等で切断して前駆体個片２０ａに分割され、図２（ｂ）の工程をＺ−Ｘ面およびＺ−Ｙ面の断面図で示した図１０の工程により、個片化された前駆体個片２０ａは９０度回転して引き起こされ、配線体個片４０が垂直に立ち上げられる。その後、図２（ｃ）以降の工程の処理が施される。なお、図９、図１０の（ａ）はＺ−Ｘ面の切断正面図、（ｂ）はＺ−Ｙ面の切断側面図である。
【００５５】
このようにして部品内蔵基板１Ａを製造する場合、樹脂層３内の配線が、従来のビア導体に代えて、配線体個片４０の立体配線パターンで形成されるので、極細の立体配線が可能となる。具体的には、樹脂層３の１配線（１ビア孔）あたりの配線抵抗値を２０ｍΩとして、高さが４００μｍの配線を行なうとした場合、図１１に示すように、ビア孔に導電性ペーストを充填するビア導体では、例えば抵抗率ρ（μΩ・ｃｍ）が５０のものを使うと、ビア孔の径は１１２．８μｍとなるのに対して、配線体個片４０の立体配線パターンでは、低効率ρ（μΩ・ｃｍ）が約１．６で断面の一辺が１７．９μｍの正四角断面形状となり、配線体個片４０の立体配線パターンとすることで、樹脂層３の配線が面積比で約１／３０に低減されることが判明した。
【００５６】
さらに、部品実装用のパッドがＺ−Ｙ面、Ｚ−Ｘ面を向いて垂直に立ち上がり、従来のようにＸ−Ｙ面の平面状に設けられないので、Ｘ−Ｙ平面内のパッド面積を従来より大幅に削減することができる。
【００５７】
そのため、部品内蔵基板１Ａを従来の製造方法の場合より極めて小型に製造できる。
【００５８】
また、部品６の上下面に部品実装用のパッドがないため、その部分に他の配線パターンを引くこと等が可能になり、より細密な構造の部品内蔵基板１Ａを製造できる利点もある。
【００５９】
さらに、樹脂層３の配線にビア導体を使用する場合は、極端なビア導体の極細化は配線抵抗値の上昇の原因となるが、銅めっきなどの金属で形成された配線体個片４０を使用することにより、その問題を回避できる利点もある。具体的には、ビア導体では、配線抵抗値が約５．０×１０−５Ω・ｃｍとなるところ、配線体個片４０を使用することにより、約１．６×１０−６Ω・ｃｍと小さくなることが確かめられた。
【００６０】
（第２の実施形態）
請求項８に対応する本発明の第２の実施形態について、図２および図１２を参照して説明する。図１２は一部の製造工程を説明するＺ−Ｘ面の切断正面図である。
【００６１】
本実施形態の場合、図２（ａ）、（ｂ）の工程に続き、図２（ｃ）〜（ｅ）に対応する図１２（ａ）〜（ｃ）の工程の処理を行なった後、図２（ｆ）の処理に代えて、図１２（ｄ）〜（ｇ）の処理を行なって部品内蔵基板１Ｂを製造する。
【００６２】
すなわち、図１２（ｃ）の工程の処理により樹脂層３の上下の表面を回転するバフ９の研磨で研削し、各前駆体個片２０ａの配線体個片４０の端面導体（切断面導体）を露出した後、図１２（ｄ）に示すように樹脂層３の上下面に薄い樹脂シート１９ａを貼り付ける。樹脂シート１９ａは外側に保護用のＰＥＴ（Ｐｏｌｙｅｔｈｙｌｅｎｅ Ｔｅｒｅｐｈｔｈａｌａｔｅ）フィルム１９ｂが貼り付けられている。また、樹脂シート１９ａと樹脂シート１９ｂの２層構造体は、各配線体個片４０の上下の露出した端面の電極位置に、レーザ照射等で貫通した孔１９ｃが形成されている。
【００６３】
つぎに、図１２（ｅ）に示すように各孔１９ｃに導電性ペースト１９ｄを充填した後、同図（ｆ）に示すように前記２層構造体の外側のＰＥＴフィルム１９ｂを剥ぎ取って樹脂シート１９ａを露出する。
【００６４】
さらに、図１２（ｇ）に示すように各孔１９ｃの導電性ペースト１９ｄ上に前記面内導体パターン７と同様の面内導体パターンを形成する例えば銅箔の電極１９ｅを圧着して配線層を形成し、部品内蔵基板１Ｂを製造する。
【００６５】
なお、前記実施形態において、導電性ペースト１９ｄを用いる代わりに、めっきにより配線体個片４０と電極１９ｅとを電気的に接続するようにしてもよい。
【００６６】
（第３の実施形態）
前記第２の実施形態の変形例としての第３の実施形態について、図２および図１３、図１４を参照して説明する。図１３は部品内蔵基板１Ｃの構成を示すＺ−Ｘ面の切断正面図であり、図１４は本実施形態の一部の製造工程を説明するＺ−Ｘ面の切断正面図である。
【００６７】
本実施形態の場合も部品内蔵基板１Ａ、１Ｂと同様の部品内蔵基板１Ｃを製造するが、その製造手法が第１の実施形態と異なる。すなわち、本実施形態の場合、図２（ａ）、（ｂ）の工程に続き、図２（ｃ）〜（ｅ）に対応する図１４（ａ）〜（ｃ）の工程の処理を行なった後、図２（ｆ）の処理に代えて、図１４（ｄ）〜（ｇ）の処理を行なって部品内蔵基板１Ｃを製造する。
【００６８】
具体的に説明すると、図２（ｅ）の工程の処理に対応する図１４（ｃ）の工程の処理により、回転するバフ９の研磨で樹脂層３の上下の表面を研削し、各前駆体個片２０ａの配線体個片４０の端面導体（切断面導体）を露出すると、図１４（ｄ）の工程に移行して研磨した樹脂層（硬化した層）３の上下の表面に未硬化の樹脂シート３０を圧着する。
【００６９】
つぎに、図１４（ｅ）の工程により、片面に円錐状の導電性ペーストの複数の突起９０が設けられた銅箔９１を上下の樹脂シート３０に対向して設け、両銅箔９１を、各突起９０が未硬化の上下の樹脂シート３０それぞれを貫通するように樹脂層３に圧着し、図１４（ｃ）の工程の研磨の際に露出した配線体個片４０の端面導体に突起９０の導電性ペーストを接触させる。なお、各突起９０は、銅箔９１にスクリーン印刷やメタルマスク印刷などで形成され、さらに、乾燥あるいは硬化させて予め前記貫通に耐え得る硬度に固められている。
【００７０】
つぎに、図１４（ｆ）の工程により、両銅箔９１が樹脂層３に圧着して配線体個片４０の端面導体に突起９０の導電性ペーストが接触した状態で樹脂シート３０の樹脂及び突起９０の導電性ペーストを硬化させて電気接続を確立する。そして、図１４（ｇ）の工程により、樹脂層３の上下の表面の銅箔９１をフォトリソグラフィ法（フォトリソ）等のプロセスを用いた周知のサブトラクティブ法によりエッチングし、所定の面内導体パターン７に加工して図１３の構造の部品内蔵基板１Ｃを製造する。
【００７１】
本実施形態の場合、第１、第２の実施形態の効果を奏するのは勿論、樹脂層３の樹脂と配線体個片４０等の密着性を銅箔９１のアンカー効果等によって強固なものとし、落下強度などを高めて部品内蔵基板１Ｃの信頼性を一層向上させることができる。
【００７２】
（第４の実施形態）
第１、第２の実施形態の他の変形例としての本発明の第４の実施形態について、図１５、図１６を参照して説明する。図１５（ａ）は引き起こされた前駆体個片２０ｂのＺ−Ｘ面の切断正面図、図１５（ｂ）、（ｃ）は引き起こされた前駆体個片２０ｂのＸ方向の位置を変えたＺ−Ｙ面の切断側面図、図１６は製造される樹脂基板１ＤのＺ−Ｙ面の切断側面図である。
【００７３】
本実施形態の場合、製造工程は第１、第２の実施形態と同様であるが、前駆体個片２０ａと異なる構成の前駆体個片２０ｂを使用して、部品内蔵基板１Ａ、１Ｂとは異なる部品内蔵基板（樹脂基板）１Ｄを製造する。
【００７４】
すなわち、図１５（ａ）〜（ｃ）は、図１０（ａ）、（ｂ）に対応し、図１０（ａ）、（ｂ）換言すれば図２（ｂ）の工程により引き起こされる前駆体個片２０ｂは、第１、第２の実施形態の前駆体個片２０ａよりＸ方向に長く大型である。そして、前駆体個片２０ｂは、樹脂５内に、第１、第２の実施形態の場合と同様に部品６を実装した配線体個片４０がＸ方向に多数配列されていたり、部品６を実装した配線体個片４０の他に、途中で屈曲した配線体個片４１、ストライプ状の配線体個片４２等がＸ方向に順不同で配列されている。この場合、図１５（ａ）の配線体個片４０の切断側面図は図１５（ｂ）に示すようになり、図１５（ａ）の配線体個片４２の切断側面図は図１５（ｃ）に示すようになる。
【００７５】
そして、例えば図２（ｄ）と同様の工程で、このような前駆体個片２０ｂを樹脂に埋設することにより、図２（ｆ）と同様の工程で、例えば図１６の部品内蔵基板１Ｄを製造する。
【００７６】
この場合、部品内蔵基板１Ｄが内蔵する前駆体個片２０ｂは大きく、１個の前駆体個片２０ｂが複数の部品６を内蔵したり、１個の前駆体個片２０ｂの余剰スペースに引き回し配線としての配線体個片４１、４２を配置できる。
【００７７】
そして、引き回し配線の配線体個片４１、４２を追加することにより、従来は面内導体パターン７等によりＸ−Ｙ面内でしか行なえなかった引き回し配線を、樹脂層３内の垂直な配線体個片４１、４２によりＺ−Ｘ面内やＺ−Ｙ面内で行なうことが可能となり、その分、部品内蔵基板１Ｄが小型化する。しかも、配線体個片４０〜４２が極細であるにも関わらず、例えば銅箔めっきのビア導体を使用した場合と同等の信頼性を確保できる可能性が高い。
【００７８】
（第５の実施形態）
第１、第２の実施形態のさらに他の変形例としての本発明の第５の実施形態について、図１７、図１８を参照して説明する。図１７（ａ）、（ｂ）は引き起こす前の前駆体個片２０ｃのＺ−Ｘ面の切断正面図、Ｚ−Ｙ面の切断側面図、図１８は製造される部品内蔵基板１ＥのＺ−Ｙ面の切断側面図である。
【００７９】
本実施形態の場合も、製造工程は第１、第２の実施形態と同様であるが、前駆体個片２０ａと異なる構成の前駆体個片２０ｃを使用し、部品内蔵基板１Ａ、１Ｂとは異なる構成の部品内蔵基板（樹脂基板）１Ｅを製造する。
【００８０】
すなわち、図１７（ａ）、（ｂ）は、図９（ａ）、（ｂ）に対応し、図９（ａ）、（ｂ）換言すれば図２（ｂ）の工程により形成される前駆体個片２０ｃは、第１〜第３の実施形態の前駆体個片２０ａ、２０ｂと異なり、個片化前の基板前駆体を形成する際の樹脂５に配線体個片４０や部品６を埋め込むときに、同時に、上下の片側の表面上に銅箔を形成し、例えば樹脂５の上面に前記銅箔の電極体１４を設ける。
【００８１】
この場合、図２（ｂ）と同様の工程により前駆体個片２０ｃを９０度回転して引き起こし、図２（ｃ）〜（ｅ）と同様の工程を経て図２（ｆ）と同様の図１８の工程に達すると、製造された部品内蔵基板（樹脂基板）１Ｅは、樹脂層３の立設された各前駆体個片２０ｃの電極体１４がビア導体に代わる新たな立体配線を形成し、電極体１４を利用して部品内蔵基板（樹脂基板）１Ｅ上に新たな配線を形成したり、部品を搭載することができ、配線の一層の高密度化等を図ることができる利点がある。
【００８２】
（第６の実施形態）
第１、第２の実施形態のさらに他の変形例としての本発明の第６の実施形態について、図１９〜図２１を参照して説明する。図１９（ａ）、（ｂ）は基板前駆体２ｂの製造工程を示すＺ−Ｘ面の切断正面図、図２０は基板前駆体２ｂを分割して形成された前駆体個片２０ｄの透視状態の斜視図、図２１（ａ）、（ｂ）は図２（ｃ）、（ｆ）に対応するＺ−Ｘ面の切断正面図である。
【００８３】
本実施形態の場合、第１、第２の実施形態で説明したように転写板１０上に樹脂５に覆われた配線体４を設けて基板前駆体２ａを形成する代わりに、図１９（ａ）の基板前駆体２ｂを形成する工程により、配線体４に代えて、樹脂１５の内部および上下の表面に例えば銅箔１６を設け、各銅箔１６を必要に応じてビア導体１７で接続したコア基板構造の基板前駆体２ｂを形成する。さらに、図１９（ｂ）の部品搭載の工程により基板前駆体２ｂの例えば上面側に部品６を設ける。そして、図２（ａ）と同様の工程により部品６が設けられた設基板前駆体２ｂを切断して前駆体個片２０ａに対応する図２０の前駆体個片２０ｄを形成する。なお、図２０は前駆体個片２０ｄを９０度回転して引き起こした状態を示し、図１（ｂ）との比較からも明らかなように、前駆体個片２０ｄは部品６が樹脂１５の樹脂１の外に位置し、部品６を除く全体が本発明の配線体個片を形成する。
【００８４】
そして、図２１（ａ）の工程により、引き起こした各前駆体個片２０ｂを接着シート８上の予定の位置に配置して固定し、図２（ｄ）、（ｅ）と同様の工程を経て図２（ｆ）と同様の図２１（ｂ）の工程に達すると、部品６を除く前駆体個片２０ｄが第１、第２の配線体個片４０に対応する構成の部品内蔵基板（樹脂基板）１Ｆが製造される。
【００８５】
この場合、部品内蔵基板（樹脂基板）１Ｆは部品６だけでなくコア基板を立設下状態で内蔵するので、部品内蔵基板（樹脂基板）１Ｆの高機能化等を図ることができる利点もある。
【００８６】
（変形例）
上記各実施形態に共通するその他の変形例について、図２２〜図２９を参照して説明する。
【００８７】
なお、図２２（ａ）〜（ｄ）は引き起こされた状態の前駆体個片２０ｘの異なる配線パターン例を示すＺ−Ｘ面の切断正面図である。また、図２３（ａ）、（ｂ）は引き起こされた状態の前駆体個片２０ｘの配線パターンが前駆体個片２０ｘの前後の片面、両面にある場合のＺ−Ｙ面の切断側面図、図２４は配線パターンが前駆体個片２０ｘの前後の両面にある場合の前駆体個片２０ｘの一例の斜視図、図２５（ａ）、（ｂ）はそれぞれ配線パターンが前駆体個片２０ｘの前後の両面にある場合の前駆体個片２０ｘの他の例の斜視図、図２６は配線パターンのさらに他の配置例を示す樹脂基板１ｘの斜視図、図２７（ａ）〜（ｃ）は請求項４の製造方法の工程を示した斜視図である。さらに、図２８、図２９は前駆体個片２０ｘのさらに他の変形例のＺ−Ｙ面の切断側面図、斜視図である。それらの図面の２０ｘは前駆体個片２０ａ〜２０ｄに対応する前駆体個片であり、４０ｘは配線体個片４０に対応する配線体個片である。
【００８８】
＜変形例１＞
上記各実施形態においては、前駆体個片２０ａ〜２０ｄの配線体個片４０等に部品６を実装したが、部品６を実装しなくてもよく（請求項２対応）、この場合、例えば前駆体個片２０ａ〜２０ｄは、配線体個片４０等が樹脂５に埋設されただけの構造になるが、そのような前駆体個片２０ａ〜２０ｄを用いても前記各実施形態と同様の効果を奏する樹脂基板を製造することができる。
【００８９】
＜変形例２＞
部品６の実装の有無によらず、前駆体個片２０ａ〜２０ｄの配線体個片４０等は、どのような配線パターンであってもよく、その用途は部品内蔵基板１Ａ〜１Ｆの上下の面内導体パターン７間を導通すること（上下導通）に限るものではない。具体的には、上下導通を含む種々の用途のために、前駆体個片２０ａ〜２０ｄに対応する図２２の前駆体個片２０ｘの配線体個片４０ｘの配線パターンは、図２２（ａ）の面内の直線配線、斜め配線、階段配線や、同図（ｂ）の渦巻状、同図（ｃ）の上下に開口した迂回配線、同図（ｄ）の全面を覆うベタパターン（膜状）等の任意の直線と曲線を組み合わせたパターン形状に形成することができる。
【００９０】
そして、配線体個片４０ｘの配線パターンに自由度を与えることで、本発明の樹脂基板の設計の自由度が広がる。また、例えば複数の前駆体個片２０ｘの配線体個片４０ｘの配線パターンと、面内パターン導体７の表面配線パターンとを組み合わせることにより、本発明の樹脂基板によって、螺旋状の配線や平行板配線、後述する迂回配線、シールド面などを形成することが可能となり、コイルやコンデンサ、シールド等の機能部品を本発明の樹脂基板で形成することが可能となる。
【００９１】
この場合、各前駆体個片２０ｘの材料に誘電率や透磁率の高いものを用いることにより、前記したコイル、コンデンサなどの機能が向上する。
【００９２】
その際、配線体個片４０ｘは、図２３（ａ）に示すように前駆体個片２０ｘの前後の一面（片面）に設けてもよく、同図（ｂ）に示すように前駆体個片２０ｘの前後の両面に設けてもよい。そして、配線体個片４０ｘを前駆体個片２０ｘの前後の両面に設けることにより、例えば図２４の前駆体個片２０ｘに示すように直線配線、斜め配線、階段配線の対向配置を実現でき、これらと面内導体パターン７の表面配線パターンとを組み合わせて適当に繋げることにより、前記したコイルやコンデンサを実現できる。
【００９３】
そして、図２５（ａ）は前駆体個片２０ｘの前後の両面に渦巻状の配線体個片４０ｘを設けて形成されたコイルの例を示し、同図（ｂ）は複数の配線体個片４０ｘにより螺旋状に形成されたコイルの例を示し、同図（ａ）の場合は、前駆体個片２０ｘの前後の両面の渦巻状の配線体個片４０ｘの中心側の端部を、例えば、ビア孔に導電ペーストの充填やめっきを施して形成したビア導体１８ｙにより接続してコイルが形成されている。また、同図（ｂ）の場合は、前駆体個片２０ｘの複数の配線体個片４０ｘを面内導体パターン７の電極で順次に接続して螺旋状のコイルが形成されている。
【００９４】
つぎに、前記迂回配線の一例を説明すると、図２６の樹脂基板１ｘのように前駆体個片２０ｘにおける配線体個片４０ｘの配線パターンが迂回配線のパターンであれば、その開口部上を通る面内導体パターン７の他の配線に対して、実線矢印の迂回配線が実現する。
【００９５】
つぎに、図２７（ａ）の前駆体個片２０ｘのように配線体個片４０ｘの配線パターンがベタパターン（膜状パターン）である場合、換言すれば、配線体個片４０ｘの元の配線体４が面導体の場合は、その個片である配線体個片４０ｘが、同図（ｃ）の樹脂基板１ｙの垂直な導体面を形成する（請求項６対応）。
【００９６】
この場合、図２７（ａ）に示したように例えば４枚の前駆体個片２０ｘを用意し、同図（ｂ）に示すように、各前駆体個片２０ｘを、配線体個片４０ｘが内側になるようにして囲みを形成し、その内部に樹脂を充填して樹脂層３を形成し、上下の表面にベタパターンに形成した面内導体パターン７を設け、配線体個片４０ｘを電気的に接続することで、樹脂基板１ｙを、その樹脂層３内の部品の電磁気的なシールド基板として製造できる（請求項４対応）。
【００９７】
＜変形例３＞
つぎに、例えば図２４に示したように配線体個片４０ｘの任意の配線パターンを前駆体個片２０ｘの両面に備える場合、図２８に示すように樹脂５を前後に貫通するビア孔に導電ペーストの充填やめっきを施して図２５（ａ）のビア導体１８ｙと同様のビア導体１８ｘを形成し、図２９に示すように前後両面に形成された配線体個片４０ｘの配線パターンをビア導体１８ｘを介して電気的に接続してもよい。このようにすれば、各前駆体個片２０ｘの内部でさらに複雑な立体配線が可能になり、配線の自由度等が一層高くなって図２５（ａ）の渦巻状のコイルのような種々の素子を形成できる。
【００９８】
（第７の実施形態）
つぎに、請求項３に対応する第７の実施形態について、図３０〜図３４を参照して説明する。
【００９９】
まず、図３０を参照して本実施形態の前駆体個片（基板前駆体の個片）２０ｅの製造工程を説明する。
【０１００】
まず、図３０（ａ）の準備工程により銅箔５０付き樹脂基板５１を用意し、図３０（ｂ）のパターニング工程により、フォトリソエッチング、または印刷工法を用いたエッチングなどのプロセスで銅箔５０のパターニングを行い、樹脂基板５１の表面に短冊状の複数の配線体５２を行列状に形成し、基板前駆体２ｃを得る。
【０１０１】
つぎに、図３０（ｃ）のテープ添着工程により基板前駆体２ｃの表面の周部や配線体５２間に、樹脂の硬化温度以上の所定温度まで耐えられる樹脂の耐熱テープ５３を、配線体５２の短辺側端部を覆うように貼る。なお、耐熱テープ５３は、予め所要のパターンに切り抜き加工等されたものであってもよく、切り貼りして樹脂基板５１の表面に貼り付けるものであってもよい。
【０１０２】
つぎに、図３０（ｄ）の切断工程により、例えば縦一列の４個の配線体５２を一つのブロックとしてダイサーカット等で基板前駆体２ｃを切断し、配線体５２を長手方向に半分に切断した配線体５２ａが分割樹脂基板５１ａの表面に４個配設された構成の図３（ｅ）の前駆体個片２０ｅを形成する。前駆体個片２０ｅは、表面の左右側および上側に耐熱テープ（耐熱テープ５３を切断したテープ）５３ａが貼り付けられている、なお、図３０（ｄ）は切断位置の例を示し、基板前駆体２ｃは、とくに中央部の配線体５２間の隙間の部分が前駆体個片２０ｅに含まれないように切断される。
【０１０３】
つぎに、図３１、図３２を参照して、前駆体個片２０ｅを用いた本実施形態の部品内蔵基板１Ｇの製造工程を説明する。
【０１０４】
まず、図３１（ａ）の固定工程により、耐熱テープ５３ａ付きの前駆体個片２０ｅを図３０（ｅ）の切断した状態から引き起こして９０°立てた状態にし、剥離容易な接着シート５４の表面上に、各４個の前駆体個片２０ｅを配線体５２ａが外側を向いた囲み枠状に固定する。
【０１０５】
つぎに、図３１（ｂ）の樹脂形成工程により、例えば、液状またはシート状の樹脂を用いて、粘着シート５４上の前記囲み枠状に固定された前駆体個片２０ｅを樹脂層５５内に埋設し、その後、加熱・加圧等を施して樹脂層５５を硬化し、前記囲み枠状に固定された前駆体個片２０ｅを樹脂層５５内に封止する。なお、実際には図３１（ｂ）の前記囲み枠状に固定された前駆体個片２０ｅのブロックが樹脂層５５内に複数個封止される。
【０１０６】
つぎに、図３１（ｃ）のシート剥離・研磨工程により、樹脂層５５の裏面の粘着シート５４を剥離し、その後、樹脂層５５の表面を物理研磨（例えばバフ研磨）し、樹脂層５５内に封止された前駆体個片２０ｅの各配線体５２ａの上端を樹脂層５５から露出させる。
【０１０７】
つぎに、図３１（ｄ）のめっき工程により、樹脂層５５の全体又は必要な部分を無電解銅めっき、電解銅めっきなどでめっきし、樹脂層５５の全体又は一部を導電性のめっき膜５６で覆って導電化する。
【０１０８】
つぎに、図３２（ａ）の配線形成工程により、フォトリソエッチングや印刷工法を用いたエッチングなどのプロセスでめっき膜５６を加工し、樹脂層５５の表面（上面）に、各配線体５２ａの上端に電気的に接続された面内導体パターンとしての各表面配線（引き出し電極）５７を形成して部品内蔵基板１Ｇを形成する。このとき、図３２（ａ）の一点鎖線Ａ−Ａの位置の耐熱テープ５３ａに覆われた部分の断面は、図３２（ｂ）に示すようになる。
【０１０９】
したがって、本実施形態の場合、配線体５２ａが外側を向くように前駆体個片２０ｅを囲み枠の形状に樹脂層５５内に立設し、配線体５２ａが外側を向いた前駆体個片２０ｅにより立体配線構造とした部品内蔵基板１Ｇを形成することができる。
【０１１０】
つぎに、部品内蔵基板１Ｇは、耐熱テープ５３ａを剥離するように樹脂層５５を手で割ったり樹脂層５５に振動を与えたりすると、樹脂の耐熱テープ５３ａが樹脂層５５の欠片に密着するので、図３３に示すように、耐熱テープ５３ａが樹脂層５５の欠片に接着して前駆体個片２０ｅから簡単に剥がれる。その結果、樹脂の周囲に側面電極として配線体５２ａを貼り付けた立体配線構造の新規な素子（子基板）５８が得られる。素子５８は、例えば各配線体５２ａにより電磁波の遮蔽スリットを形成してその内側の樹脂内の部品を電磁遮蔽する素子として用いることができ、また、各配線体５２ａに跨って横向きにコンデンサや抵抗等の部品を取り付け、所望の立体配線構造の素子を簡単に実現できる。
【０１１１】
すなわち、本実施形態の場合、樹脂基板５１に密着した銅箔５０をエッチング等して配線体５２ａが表面に強固に密着した基板前駆体２０ｅを形成することができ、この基板前駆体２０ｅを用いて部品内蔵基板１Ｇを形成し、最終的には配線体５２ａの側面電極を備えた新規な素子５８を製造することができる。
【０１１２】
この場合、前記側面電極のパターンは表面配線技術で種々に形成可能であるため、素子５８の設計の自由度が高くなる利点がある。
【０１１３】
また、部品内蔵基板１Ｇから素子５８を形成する際、樹脂層５５を手で割ったり樹脂層５５に振動を与えたりすることによって耐熱テープ５３ａが容易に剥がれ、ダイサー等を用いて切断加工等することなく、簡単に素子５８を形成することができる。なお、ダイサーやレーザで溝加工等する必要もないので、素子５８は、樹脂内部のフィラーやガラス繊維が分断されたり損傷を受けた状態で端面等に出現することがない。
【０１１４】
また、各前駆体個片２０ｅを素子５８の外周に設置することにより、耐熱テープ５３ａが剥離した各前駆体個片２０ｅの表面が素子（製品）５８の外形となり、耐熱テープ５３ａの剥離後にダイシングなどのカット工程無しで素子５８が得られる。
【０１１５】
さらに、耐熱テープ５３ａの剥離により出現する素子５８の側面電極は、ほとんど人の手が触れたりすることがなく、極めて清浄である利点もある。
【０１１６】
ところで、切断する前の耐熱テープ５３は基板前駆体２ｃの周囲全部に貼り付けてもよい。また、耐熱テープ５３の貼り付け方法や手順等はどのようであってもよい。さらに、図３０（ａ）〜（ｅ）に置き換わる図３４（ａ）〜（ｅ）の工程により、樹脂基板５１の表面に予め個片化した状態の短冊状の複数の配線体５２ａを設けた基板前駆体２ｄを形成し（図３４（ｂ））、その樹脂基板５１の表面の周部や配線体５２ａ間等に配線体５２ａにかからないように耐熱テープ５３を貼り付け（図３４（ｃ））、その後、基板前駆体２ｄを切断して前駆体個片２０ｅを形成するようにしてもよい（図３４（ｄ）、（ｅ））。
【０１１７】
つぎに、耐熱テープ５３を貼り付ける代わりに、基板前駆体２ｃ、２ｄの樹脂基板５１の表面に剥離可能な液状樹脂を印刷工法あるいはスピンコート法によって貼り付けたり吹きつけたりしてもよく、これらの場合も耐熱テープ５３を貼り付けた場合と同様の効果が得られる。そして、剥離可能な液状樹脂を貼り付けたり吹きつけたりする場合は、耐熱テープ５３より安価な液状樹脂を用いて一層の低コスト化を図ることができる利点がある。
【０１１８】
なお、各実施形態、変形例において、樹脂層３の樹脂３１等は例えばエポキシ樹脂等を含有する熱硬化性樹脂であり、硬化したときの反りを防止するため、好ましくはシリカ粉末、アルミナ粉末等の無機粉末を含有する。
【０１１９】
そして、本発明は上記した各実施形態等に限定されるものではなく、その趣旨を逸脱しない限りにおいて、上記したもの以外に種々の変更を行なうことが可能であり、例えば第１の実施形態において、転写板１０上に銅めっき１２の配線体４を形成したが、銅箔付きのガラスエポキシ基板等に周知のフォトリソエッチング加工で配線体４を形成してもよく、フォトリソエッチング加工を行なわず、配線パターンの転写や、印刷での直接配線によって形成してもよく、印刷によるレジスト形成からエッチングプロセスに移行する等して形成してもよい。また、第６の実施形態のコア基板構造の前駆体個片２０ｄは、単層の基板やセラミック基板等で形成されていてもよい。
【０１２０】
つぎに、配線体４は種々の金属や導電材料で形成してよく、部品６の種類や形状、大きさ等がどのようであってもよいのは勿論である。
【０１２１】
さらに、製造する部品内蔵基板１Ａ〜１Ｇおよび、樹脂基板１ｘ、１ｙの大きさや、それらに含まれる前駆体個片２０ａ〜２０ｅ、２０ｘの大きさ、個数等はどのようであってもよい。
【０１２２】
また、樹脂層３、５５等の樹脂は、熱硬化性樹脂に限るものではなく、熱可塑性樹脂や光硬化性樹脂等であってもよい。
【産業上の利用可能性】
【０１２３】
本発明は、種々の用途の部品内蔵基板等の樹脂基板の製造に適用することができる。
【符号の説明】
【０１２４】
１Ａ〜１Ｇ    部品内蔵基板
１ｘ、１ｙ    樹脂基板
２ａ〜２ｄ    基板前駆体
３、５５    樹脂層
４、５２    配線体
５    樹脂
６    部品
７    面内導体パターン
２０ａ〜２０ｅ、２０ｘ    前駆体個片（基板前駆体の個片）
４０、４０ｘ、４１、４２    配線体個片（配線体の個片）
【図１】
2011024469.tif 000003
【図２】
2011024469.tif 000004
【図３】
2011024469.tif 000005
【図４】
2011024469.tif 000006
【図５】
2011024469.tif 000007
【図６】
2011024469.tif 000008
【図７】
2011024469.tif 000009
【図８】
2011024469.tif 000010
【図９】
2011024469.tif 000011
【図１０】
2011024469.tif 000012
【図１１】
2011024469.tif 000013
【図１２】
2011024469.tif 000014
【図１３】
2011024469.tif 000015
【図１４】
2011024469.tif 000016
【図１５】
2011024469.tif 000017
【図１６】
2011024469.tif 000018
【図１７】
2011024469.tif 000019
【図１８】
2011024469.tif 000020
【図１９】
2011024469.tif 000021
【図２０】
2011024469.tif 000022
【図２１】
2011024469.tif 000023
【図２２】
2011024469.tif 000024
【図２３】
2011024469.tif 000025
【図２４】
2011024469.tif 000026
【図２５】
2011024469.tif 000027
【図２６】
2011024469.tif 000028
【図２７】
2011024469.tif 000029
【図２８】
2011024469.tif 000030
【図２９】
2011024469.tif 000031
【図３０】
2011024469.tif 000032
【図３１】
2011024469.tif 000033
【図３２】
2011024469.tif 000034
【図３３】
2011024469.tif 000035
【図３４】
2011024469.tif 000036
【図３５】
2011024469.tif 000037
【国際調査報告】
2011024469.tif 000038
2011024469.tif 000039
2011024469.tif 000040
2011024469.tif 000041